(57)【要約】【課題】箱体における受け部の突出位置（突出方向）にかかわらず、同じ構造のもので対応可能なダイヤル錠を提供する。【解決手段】ハウジングとダイヤル部とラッチ１６とを備えたダイヤル錠であり、ダイヤル部は、文字が表されてダイヤル本体部２２に係合する係合部２１ａを有する文字盤２１と、文字盤２１の係合部２１ａに係合される被係合部２２ｈが周方向に対して複数設けられて、文字盤２１を複数の周方向に異なる相対位置で装着可能のダイヤル本体部２２と、を有し、ダイヤル本体部２２における文字盤２１を装着する複数の位置に、ラッチ１６が突出する向きを示す向き指示部３０が表され、文字盤２１の係合部２１ａの１つが特定係合部２１ａ’とされ、ラッチ１６が突出する向きに合った向き指示部３０に対応するダイヤル本体部２２の被係合部２２ｈに、文字盤２１の特定係合部２１ａ’が係合する。【選択図】図１７
2018204266.tif 000002
【特許請求の範囲】
【請求項１】
施錠対象物の扉に組み付けられるハウジングと、文字が表記されてハウジングに対して回転自在のダイヤル部と、ダイヤル部の回転に伴って回転する回転体と、ハウジングから上下左右の何れかの方向である側方に出退自在のラッチと、を備えたダイヤル錠であって、
ダイヤル部は、文字が表されているとともにダイヤル本体部に係合する係合部を有する文字盤と、文字盤の係合部に係合される被係合部が周方向に対して複数設けられて、文字盤を複数の周方向に異なる相対位置で装着可能のダイヤル本体部と、を有し、
ダイヤル本体部における文字盤を装着する複数の位置に、ラッチが突出する向きを示す向き指示部が表され、
文字盤の係合部の１つが特定係合部とされ、ラッチが突出する向きに合った向き指示部に対応する被ダイヤル本体部の被係合部に、文字盤の特定係合部が係合される
ことを特徴とするダイヤル錠。
【請求項２】
向き指示部は、上、下、左、右、または同様な意味をなす文字や表記が示されていることを特徴とする請求項１に記載のダイヤル錠。
【請求項３】
ハウジングに対して、周方向に対して複数の異なる相対位置で、扉よりも前方に組み付けるリング体を設け、リング体に、解錠時に合わせる位置を示す印を設けていることを特徴とする請求項１または２に記載のダイヤル錠。
【発明の詳細な説明】
【技術分野】
【０００１】
本発明は、郵便受けなどの施錠対象物に取り付けられるダイヤル錠に関する。
【背景技術】
【０００２】
郵便受けやロッカーなどの施錠対象となる各種の構造物（施錠対象物）に取り付けられるダイヤル錠は、特許文献１、２などにも開示されているように広く知られている。この種のダイヤル錠は、施錠対象物の箱体に取り付けられた扉に組み付けられるハウジング（扉組付部）と、数字などの文字が表記されてハウジングに対して回転自在のダイヤル部と、ダイヤル部の回転に伴って回転する回転体と、ハウジングから側方（上下左右の何れかの方向）に出退自在のラッチなどを備えている。
【０００３】
また、施錠対象物の箱体には、ラッチに係合可能な受け部（ラッチ受け）が、箱体の内側に突出する姿勢で取り付けられている。そして、扉が閉められて施錠されている場合には、ラッチが後退できない状態で受け部に係合して、扉が開くことを阻止（禁止）している。一方、ダイヤル部を回転させて所定の数字などの文字に合わせることで解錠されるが、この解錠状態では、ラッチが後退できる状態となって、扉が開くことを許容している。
【０００４】
この場合に、施錠対象物の箱体に取り付けられる受け部は、箱体の下辺から上方に突出する姿勢で固定されている構造と、箱体の上辺から下方に突出する姿勢で固定されている構造と、箱体の右辺から左側方に突出する姿勢で固定されている構造と、箱体の左辺から右側方に突出する姿勢で固定されている構造との、４種類の構造があり、何れかの構造が選択される。
【０００５】
また、これに対応して、ダイヤル錠としても、ラッチがハウジングから下方に突出自在とされて、上方に突出する受け部に係合する構造のものと、ラッチがハウジングから上方に突出自在とされて、下方に突出する受け部に係合する構造のものと、ラッチがハウジングから右側方に突出自在とされて、左側方に突出する受け部に係合する構造のものと、ラッチがハウジングから左側方に突出自在とされて、右側方に突出する受け部に係合する構造のものとの、それぞれ箱体に設けられる受け部の位置に対応した４種類の構造がある。
【先行技術文献】
【特許文献】
【０００６】
【特許文献１】特開２００４−２３２３１３公報
【特許文献２】特開２００２−２１３８１公報
【発明の概要】
【発明が解決しようとする課題】
【０００７】
しかしながら、上記従来構成のダイヤル錠では、箱体における受け部の突出位置（突出方向）に合わせて、ダイヤル錠として４種類の製品（構造のもの）を製造するとともに在庫する必要があり、その結果、種類に応じた比較的少数で多品種の製品が必要となって、製造コストの増加や、種類の確認や検査の手間の増加などを生じるとともに、ダイヤル錠を在庫するスペースが多大となる課題を有していた。
【０００８】
本発明は上記課題を解決するもので、箱体における受け部の突出位置（突出方向）にかかわらず、同じ製品で対応可能なダイヤル錠を提供することを目的とするものである。
【課題を解決するための手段】
【０００９】
上記課題を解決するために、本発明は、施錠対象物の扉に組み付けられるハウジングと、文字が表記されてハウジングに対して回転自在のダイヤル部と、ダイヤル部の回転に伴って回転する回転体と、ハウジングから上下左右の何れかの方向である側方に出退自在のラッチと、を備えたダイヤル錠であって、ダイヤル部は、文字が表されているとともにダイヤル本体部に係合する係合部を有する文字盤と、文字盤の係合部に係合される被係合部が周方向に対して複数設けられて、文字盤を複数の周方向に異なる相対位置で装着可能のダイヤル本体部と、を有し、ダイヤル本体部における文字盤を装着する複数の位置に、ラッチが突出する向きを示す向き指示部が表され、文字盤の係合部の１つが特定係合部とされ、ラッチが突出する向きに合った向き指示部に対応する被ダイヤル本体部の被係合部に、文字盤の特定係合部が係合されることを特徴とする。
【００１０】
この構成において、ラッチの突出する向きが向き指示部の示す表記内容に合うように文字盤の係合部をダイヤル本体部の被係合部に係合させる。これにより、箱体における受け部の突出位置にかかわらず、同じ製品のダイヤル錠で対応することが可能となる。
【００１１】
また、向き指示部は、上、下、左、右、または同様な意味をなす文字や表記が示されていると好適である。また、ハウジングに対して、周方向に対して複数の異なる相対位置で、扉よりも前方に組み付けるリング体を設け、リング体に、解錠時に合わせる位置を示す印を設けていると好適である。
【発明の効果】
【００１２】
本発明によれば、ハウジングとダイヤル部とラッチとを備えたダイヤル錠において、ダイヤル部は、文字が表されているとともにダイヤル本体部に係合する係合部を有する文字盤と、文字盤の係合部に係合される被係合部が周方向に対して複数設けられて、文字盤を複数の周方向に異なる相対位置で装着可能のダイヤル本体部と、を有し、ダイヤル本体部における文字盤を装着する複数の位置に、ラッチが突出する向きを示す向き指示部が表され、文字盤の係合部の１つが特定係合部とされ、ラッチが突出する向きに合った向き指示部に対応するダイヤル本体部の被係合部に、文字盤の特定係合部が係合されるように構成することにより、箱体における受け部の突出位置にかかわらず、同じ製品のダイヤル錠で対応することが可能となる。この結果、箱体における受け部の突出位置（突出方向）が異なっている場合でも、ダイヤル錠として同じ製品で済ますことができて、従来のものよりも製造コストを低減させることができ、種類の確認をしなくてもよくなるとともに、検査の手間も省け、ダイヤル錠を在庫するスペースも最小限に抑えることができる。
【図面の簡単な説明】
【００１３】
【図１】本発明の実施の形態に係るダイヤル錠の斜視図である。
【図２】同ダイヤル錠の側面断面図で、施錠状態を示す。
【図３】同ダイヤル錠の側面断面図で、解錠状態を示す。
【図４】同ダイヤル錠の背面図である。
【図５】同ダイヤル錠の分解斜視図である。
【図６】同ダイヤル錠のハウジングを示し、（ａ）は斜視図、（ｂ）は背面図、（ｃ）は正面図である。
【図７】同ダイヤル錠のリング体を示し、（ａ）は斜視図、（ｂ）は正面図である。
【図８】同ダイヤル錠のダイヤル本体部を示し、（ａ）は正面図、（ｂ）は背面図、（ｃ）は左側面図、（ｄ）は左側面断面図である。
【図９】同ダイヤル錠の第１の回転体を示し、（ａ）は斜視図、（ｂ）は左側面断面図、（ｃ）は正面図、（ｄ）は左側面図、（ｅ）は背面図である。
【図１０】同ダイヤル錠の第２の回転体を示し、（ａ）は斜視図、（ｂ）は左側面図、（ｃ）は右側面断面図、（ｄ）は正面図、（ｅ）は背面図である。
【図１１】同ダイヤル錠の第３の回転体を示し、（ａ）は斜視図、（ｂ）は左側面図、（ｃ）は平面図、（ｄ）は平面断面図、（ｅ）は背面図である。
【図１２】同ダイヤル錠の保持体を示し、（ａ）は斜視図、（ｂ）は背面図、（ｃ）は底面図である。
【図１３】（ａ）は同ダイヤル錠のラッチの側面図、（ｂ）は同ラッチのラッチ本体の斜視図、（ｃ）は同ラッチのラッチカバーの側面図である。
【図１４】同ダイヤル錠の文字盤を示し、（ａ）は正面斜視図、（ｂ）は側面図、（ｃ）は背面斜視図、（ｄ）は背面図である。
【図１５】同ダイヤル錠（文字盤以外）および文字盤の正面斜視図で、ラッチが上方に突出する場合を示している。
【図１６】同ダイヤル錠（文字盤以外）および文字盤の背面斜視図で、ラッチが上方に突出する場合を示している。
【図１７】同ダイヤル錠（文字盤以外）および文字盤の正面図で、ラッチが上方に突出する場合を示している。
【図１８】同ダイヤル錠（文字盤以外）および文字盤の正面図で、ラッチが左側方に突出する場合を示している。
【図１９】同ダイヤル錠（文字盤以外）および文字盤の正面図で、ラッチが下方に突出する場合を示している。
【図２０】同ダイヤル錠（文字盤以外）および文字盤の正面図で、ラッチが右側方に突出する場合を示している。
【図２１】本発明の他の実施の形態に係るダイヤル錠（文字盤以外）および文字盤の正面図である。
【発明を実施するための形態】
【００１４】
以下、本発明の実施の形態に係るダイヤル錠を、図面に基づき説明する。なお、この実施の形態においては、ダイヤル錠や、施錠対象物の箱体などにおいて、ダイヤル錠のダイヤル部の回転中心を通る方向を軸心方向、この軸心方向に沿う方向に対して、当該ダイヤル錠における文字盤などが設けられている方向を前方（または前側）、ラッチなどが設けられている方向を後方（または後側）と称して説明する。
【００１５】
図１〜図３において、１は本発明の実施の形態に係るダイヤル錠、２はこのダイヤル錠１が取り付けられる施錠対象物（例えば郵便受け）の扉、３は扉２が開閉自在に取り付けられている施錠対象物の箱体、４は箱体３から内側（内側方）に突出する姿勢で固定されて取り付けられる受け部（ラッチ受け部）である。図２、図３においては、受け部４が箱体３の上辺３ａから下方に突出する姿勢で取り付けられ、これに対応して、ダイヤル錠１のラッチ１６（後述する）が上方に突出自在とされている場合を示している。
【００１６】
なお、図示しないが、扉２におけるダイヤル錠１が取り付けられている側と反対側の箇所（この例では、扉２の下端部）と、箱体形状の箱体３の下辺との間に、扉２を箱体３に対して開閉自在に支持するヒンジが取り付けられている。
【００１７】
図１〜図５などに示すように、ダイヤル錠１は、扉２に組み付けられるハウジング（錠本体や、筐体、扉組付部とも称せられる）１１と、数字などの文字が表記されてハウジング１１および扉２に対して回転自在のダイヤル部（ダイヤル操作部）１２と、ダイヤル部１２の回転に伴って回転する第１〜第３の回転体１３、１４、１５と、ハウジング１１から側方（軸心方向Ｘ（図２参照）に対して直交する上下左右の何れかの方向で、この場合には上方）に出退自在のラッチ１６と、ラッチ１６を揺動可能な状態で保持する保持体１７と、扉２を裏面側から挟持する状態でハウジング１１に組み付けられる固定ナット１８などを備えている。また、この実施の形態では、ハウジング１１の前部における背面側外周に、解錠時に合わせる位置を示す印１９ａを有するリング体１９が組み付けられる。
【００１８】
図５、図６（ａ）〜（ｃ）などに示すように、ダイヤル錠１のハウジング１１は、扉２に形成された挿通孔２ａ（図２、図３参照）に通されて外周面に固定ナット１８が螺合される雄ねじ面１１ａが形成されているねじ筒部１１ｂと、このねじ筒部１１ｂの前側で鍔状（外径方向）に広がる前鍔状部１１ｃと、ねじ筒部１１ｂに続いて後方に略筒状に延びる周方向２つ割り（いわゆる半割形状）の後筒状部１１ｄと、前鍔状部１１ｃ、ねじ筒部１１ｂ、後筒状部１１ｄを通して軸心方向（前後方向）Ｘに貫通する収容孔部１１ｋと、後筒状部１１ｄの上面箇所と下面箇所とに形成された切欠溝１１ｆなどを有する。ハウジング１１の内部に（すなわち、収容孔部１１ｋに）、ダイヤル部１２の後部や第１〜第３の回転体１３、１４、１５、ラッチ１６、保持体１７などが収容される。ねじ筒部１１ｂの内部には、第１の回転体１３や第３の回転体１５を所定の回転停止位置で留め易くする（およびクリック感を与える）ための２枚の板ばね２０が組み付けられている。なお、図２、図３などにおける２４は、必要に応じて、固定ナット１８と扉２との間に介装されるワッシャ（波形板ばね）である。
【００１９】
なお、ハウジング１１の前鍔状部１１ｃには、このハウジング１１を扉２に取り付ける取付ねじ（図示せず）を後方からねじ込み可能な複数（この実施の形態では２つ）の雌ねじ部１１ｅが形成され、リング体１９が嵌め込まれる前鍔状部１１ｃの外周面には、周方向２箇所（すなわち、周方向１８０度毎）に凸部１１ｇが形成されている。また、図６（ｂ）に示すように、前鍔状部１１ｃの背面には、背面側から見てねじ筒部１１ｂに切欠部１１ｈを形成することで多角形（本実施の形態では、八角形）となり、ダイヤル錠１を扉２に取り付けた際に、ハウジング１１の回り止めとしても機能できるよう構成されている。また、図６（ｃ）に示すように、ハウジング１１のねじ筒部１１ｂの内部には、板ばね２０を組み付けるための溝部１１ｊが形成されているとともに、図６（ａ）に示すように、ハウジング１１における後筒状部１１ｄには、ラッチ１６を保持する保持体１７を組み付ける固定ねじ２５（図５参照）を通す雌ねじ部１１ｉが形成されている。
【００２０】
図５、図７（ａ）、（ｂ）などに示すように、リング体１９は、外周面における周方向の１箇所に凹状溝（凸状突部など他の形状でもよい）からなる印１９ａ（ダイヤル錠１を組み付けた際に、この印１９ａが上端に位置するように組み付けられる）が形成されている。また、リング体１９は、内周面における周方向４箇所（すなわち、周方向９０度毎）に、前鍔状部１１ｃの周方向２箇所に形成された凸部１１ｇに嵌り込み可能な凹部１９ｂが形成されている。すなわち、リング体１９は、ダイヤル錠１のハウジング１１に対して、周方向９０度毎にずらして異なる相対位置に組み付け可能である。また、この実施の形態では、リング体１９の外周前部に段部１９ｃが設けられて、ダイヤル本体部２２の外周後面を回転摺動自在に案内している。
【００２１】
図５などに示すように、ダイヤル部（ダイヤル操作部）１２は、文字（この実施の形態では、０から９までの数字）が記載されている文字盤２１と、文字盤２１を装着可能のダイヤル本体部２２と、を有し、図１などに示すように、それぞれ正面視すると略円形とされている。
【００２２】
図８（ａ）〜（ｄ）などに示すように、ダイヤル本体部２２の外周面には、操作時に指をかけやすいように文字（数字）に対応する箇所などに窪み２２ｇが形成されている。また、ダイヤル本体部２２には、文字盤２１を後方から保持する円盤状部２２ｆが設けられているとともに、ダイヤル本体部２２における背面部の中央には、中央軸筒部２２ａと、この中央軸筒部２２ａより大径の内筒部２２ｂと、この内筒部２２ｂより大径の外筒部２２ｃとが、同軸心でそれぞれ後方に突設されている。中央軸筒部２２ａの内周には、ダイヤル本体部２２に第１〜第３の回転体１３、１４、１５を組み付ける組付ねじ２３（図２、図３、図５参照）がねじ込まれる雌ねじ部２２ｄが形成されている。また、内筒部２２ｂの内周には、ダイヤル本体部２２と第１の回転体１３とを一体的に回転させるための歯部２２ｅが形成されている。
【００２３】
図２、図９（ａ）〜（ｅ）に示すように、第１の回転体１３は、ダイヤル本体部２２の中央軸筒部２２ａと内筒部２２ｂとの間に嵌り込む前小径筒部１３ａと、ダイヤル本体部２２の内筒部２２ｂおよび外筒部２２の後端面とハウジング１１のねじ筒部１１ｂの内周凹部との間に配設された中大径部１３ｂと、この中大径筒部１３ｂより後方に突出する後中径筒部１３ｃとを有し、軸心に形成された孔１３ｈに組付ねじ２３が挿通される。そして、前小径筒部１３ａの外周面に、ダイヤル本体部２２の内筒部２２ｂの歯部２２ｅに噛み合う複数の突起１３ｄ（なお、１つの特定の突起１３ｄ’の周方向両側のみ切欠かれて、この特定の突起１３ｄ’を認識し易いようになっている）が形成され、これらの歯部２２ｅと突起１３ｄを介して、第１の回転体１３がダイヤル本体部２２と一体的に回転する。
【００２４】
第１の回転体１３の後中径筒部１３ｃの外周面には、板ばね２０に当接する多角形状部１３ｅが形成され、これにより、ダイヤル部１２を回転する際にクリック感を生じて、第１の回転体１３とともにダイヤル部１２が０から９の数字に対応する位置で停止し易くなっている。また、第１の回転体１３の後中径筒部１３ｃには、周方向に対して１箇所だけ後方に突出する係合突起１３ｇが形成されており、この係合突起１３ｇは、第３の回転体１５に形成された係合突起１５ａに周方向に当接して係合可能とされている。
【００２５】
また、第１の回転体１３の後中径筒部１３ｃの内周面には、径方向内側に突出する複数（この実施の形態では５つ）の係合突条部１３ｆが周方向所定間隔毎（この実施の形態では、周方向７２度毎）に形成されており、この係合突条部１３ｆは、組立時には、第２の回転体１４に形成された複数の係合溝部１４ａに係合して（嵌り込んで）、第２の回転体１４は第１の回転体１３と一体的に回転する。
【００２６】
図２、図３に示すように、第２の回転体１４は、その軸心に組付ねじ２３が挿通されている状態で、第１の回転体１３の後方に配置される。図１０（ａ）〜（ｅ）に示すように、第２の回転体１４は、前後方向の中央位置に設けられた円筒状の中筒部１４ｂと、この中筒部１４ｂから前方に延びて第１の回転体１３の後中径筒部１３ｃ内に突入する前筒部１４ｃと、中筒部１４ｂから外周後方に広がるように延びる後筒部１４ｄと、組付ねじ２３が挿通される挿通孔１４ｇなどを有する。そして、前筒部１４ｃに、第１の回転体１３の係合突条部１３ｆが係合する（嵌り込む）複数の係合溝部１４ａ（この実施の形態では、１０箇所で、１箇所の係合溝部１４ａ’は、組付ねじ２３が挿通される中央孔まで切欠かれている）が形成され、これにより、第２の回転体１４は第１の回転体１３と一体的に回転する。また、後筒部１４ｄの周方向１箇所に、ラッチ１６を通すことが可能な切欠部１４ｆが形成されている。
【００２７】
図３に示すように、第３の回転体１５は、ハウジング１１と第２の回転体１４との間に配設される。図５、図１１（ａ）〜（ｅ）などに示すように、第３の回転体１５は、第２の回転体１４の中筒部１４ｂの外周に配置される前筒部１５ｂと、この前筒部１５ｂから外周後方に広がるように延びる後筒部１５ｃと、第２の回転体１４の中筒部１４ｂが挿通される挿通孔１５ｆなどを有する。そして、第３の回転体１５の前筒部１５ｂの外周面には、板ばね２０に当接する多角形状部１５ｅが形成され、これにより、第３の回転体１５が０から９の数字に対応する位置で止まり易くなっている。なお、板ばね２０は、図５に示すように、第１の回転体１３の多角形状部１３ｅが当接する箇所（第１接触部）と、第３の回転体１５の多角形状部１５ｅが当接する箇所（第２接触部）との間に長孔２０ａが貫通して形成され、これらの接触部がそれぞれ個別に変形できるよう図られている。
【００２８】
また、図１１（ａ）〜（ｅ）などに示すように、第３の回転体１５には、前筒部１５ｂの周方向１箇所に前方に突出する係合突起１５ａが形成され、第１の回転体１３の係合突起１３ｇに周方向に当接して係合可能とされている。また、後筒部１５ｃの周方向１箇所にラッチ１６を通すことが可能な切欠部１５ｄが形成されている。
【００２９】
図２、図３などに示すように、保持体１７は、予めハウジング１１に第１〜第３の回転体１３、１４、１５が収容された状態で、ハウジング１１の後筒状部１１ｄ内に後方から収容されて固定ねじ２５が雌ねじ部１７ａにねじ込まれて固定される。保持体１７は、ラッチ１６を揺動かつ昇降可能な状態で保持している。すなわち、図５などに示すように、ラッチ１６には、ラッチ１６が揺動する際の軸心となる揺動回転軸１６Ｃ（図５参照）が組み付けられているが、図２、図３、図１２（ａ）〜（ｃ）などに示すように、保持体１７には、ラッチ１６が保持体１７内で昇降できる昇降用空間部１７ｂと、ラッチ１６の上部が後方に倒れる方向に傾倒可能な揺動用空間部１７ｃとが形成されており、揺動用空間部１７ｃには、ラッチ１６を上方および起立方向に付勢する付勢ばね２７が収容されている。また、保持体１７の下端部には、ハウジング１１の下部の切欠部１１ｆに嵌り込む凸部１７ｄと、ハウジング１１の上部の切欠部１１ｆに嵌り込む突起部１７ｅとが形成されている。
【００３０】
なお、この実施の形態では、図１３（ａ）〜（ｃ）、図３などに示すように、ラッチ１６は金属板からなるラッチ本体１６Ａと、ラッチ本体１６Ａの先端部に被せられる樹脂製などのラッチカバー１６Ｂと、前記揺動回転軸１６Ｃから構成されるが、ラッチカバー１６Ｂは必要に応じて設けるとよい。
【００３１】
また、ラッチ１６は、受け部４に係合可能な先端側部分（この実施の形態ではラッチ１６の上部）の後面部に、後方ほど下方に傾斜する傾斜面１６ａが形成されている。また、この実施の形態では、ラッチ１６の下部前側に前方に突出する突部１６ｄが設けられている。そして、解錠して扉２が開けられた状態で、ダイヤル部１２が回転されて、後述するように、ラッチ１６が後方に揺動できない状態となった場合でも、受け部４にラッチ１６の傾斜面１６ａが当接して、ラッチ１６が下方に移動されて（図２において仮想線で示す）受け部４を乗り越え、開けられた扉２が完全に閉められることを許容できて、施錠できるようになっている。
【００３２】
上記構成において、ダイヤル部１２を回転させることで、ダイヤル部１２とともに第１、第２の回転体１３、１４が一体的に回転するとともに、第１の回転体１３の係合突起１３ｇが第３の回転体１５の係合突起１５ａに当接している場合に第３の回転体１５も回転する。そして、ダイヤル部１２を回転させて所定の数字などの文字に合わせることで解錠状態となるが、この解錠状態では、図３において仮想線で示すように、ラッチ１６の下部（ラッチ１６の突部１６ｄ）の前方に、第２、第３の回転体１４、１５の切欠部１４ｆ、１５ｄが臨むように、第２、第３の回転体１４、１５が位置する。したがって、この解錠状態で、扉２を前側に開こうとした際には、ラッチ１６の上部が箱体３の受け部４に後方から当接して、ラッチ１６の上部は後方に、また、ラッチ１６の下部は前方に揺動しようとするが、この際、ラッチ１６の下部が前方に揺動しようとする箇所に、第２、第３の回転体１４、１５の切欠部１４ｆ、１５ｄが位置しているため、ラッチ１６の先端部（上部）が後方に傾くようにラッチ１６が揺動することが許容されて、受け部４によりラッチ１６が後方に押されて揺動し、扉２が開けられることが許容される。
【００３３】
一方、扉２が閉められて施錠されている場合には、図２に示すように、ラッチ１６の下部が前方に揺動しようとする箇所に、第２、第３の回転体１４、１５の切欠部１４ｆ、１５ｄ（ラッチ１６の突部１６ｄ）が位置していないため、ラッチ１６が後方に揺動できない状態（ラッチ１６の突部１６ｄが第２の回転体１４の後筒部１４ｄや第３の回転体１５の後筒部１５ｃに当接する状態）で受け部４に係合して、扉２が開くことが阻止（禁止）される。
【００３４】
上述したように、図５などに示すように、ダイヤル部（ダイヤル操作部）１２は、文字（この実施の形態では、０から９までの数字）が記載されている文字盤２１と、文字盤２１を装着可能のダイヤル本体部２２とを有する。そして、上記構成に加えて、図１４（ａ）〜（ｄ）などに示すように、文字盤２１の背面には、ダイヤル本体部２２に係合可能な複数の係合部（係合爪部）２１ａが設けられており、この実施の形態では、係合部２１ａは爪形状に突出しており、３つの係合部２１ａが、周方向に対して、後述する特定係合部２１ａ’を基準に１３５度の間隔で設けられている。また、複数の係合部（係合爪部）２１ａにおける特定の１つの係合部（特定係合部と称す）２１ａ’の近傍には、特定係合部２１ａ’であることを示す矢印が記載されている。なお、特定係合部２１ａ’であることを示すものであれば、矢印以外の文字や記号などでもよい。
【００３５】
一方、図８（ａ）〜（ｄ）などに示すように、ダイヤル本体部２２には、文字盤２１の係合部２１ａを嵌め込んで係合できる孔からなる複数の被係合部（被係合孔部）２２ｈが形成されている。この実施の形態では、８つの被係合部２２ｈが周方向に対して等角度（４５度間隔で）に設けられている。さらに、ダイヤル本体部２２における文字盤２１を装着する複数の位置に、ラッチが突出する向きを示す向き指示部３０が表され（記載され）、この実施の形態では、ラッチが突出する向きを示す向き指示部３０が周方向９０度毎に（すなわち、９０度間隔で）設けられ、「上」、「下」、「左」、「右」と記載されているとともに半径方向の外側が上方となる向きで文字（数字）が記載されている。なお、「上」、「下」、「左」、「右」と記載する代わりに、上、下、左、右、と同様な意味をなす文字や表記を示していてもよい。
【００３６】
次に、上記したように受け部４が箱体３の上辺３ａから下方に突出する姿勢で取り付けられ、これに対応して、ダイヤル錠１のラッチ１６（後述する）が上方に突出する姿勢で取り付ける場合について説明する。
【００３７】
まず、図１５〜図１７に示すように、ダイヤル錠１における、文字盤２１が未装着の状態で、扉２にダイヤル錠１（文字盤２１以外の部分）を取り付ける。この際、ダイヤル錠１（文字盤２１以外の部分）を、ハウジング１１からラッチ１６が上方に突出して、受け部４に係合可能な姿勢で取り付ける。また、リング体１９を、その印１９ａが、解錠時に合わせる位置を示すように、すなわち、一般的には、文字盤２１の上端部となる位置に合うように、扉２に組み付ける。
【００３８】
次に、文字盤２１をダイヤル錠１のダイヤル本体部２２に取り付ける。この際、ハウジング１１からラッチ１６が上方に突出した状態で取り付けているため、これに合わせて、文字盤２１に設けられた特定の係合部２１ａ’を、ダイヤル本体部２２の「上」と記載された被係合部２２ｈに係合させ、特定の係合部２１ａ’以外の係合部２１ａは、対応する位置にある被係合部２２ｈに係合させながら取り付ける。
【００３９】
なお、この実施の形態では、向き指示部３０が周方向に対して９０度間隔で設けられる一方、文字盤２１の係合部２１ａは、周方向に対して特定係合部２１ａ’を基準に１３５度の間隔で設けられており、係合部２１ａが設けられる間隔の角度が向き指示部３０が設けられる間隔の角度（９０度）とは異なっているとともに、倍数の角度でもないため、特定係合部２１ａ’を、向き指示部３０が示されている被係合部２２ｈに係合させた際には、特定係合部２１ａ’ではない係合部２１ａは、向き指示部３０が示されている被係合部２２ｈには係合しない。
【００４０】
また、受け部４の取付姿勢やラッチ１６の突出する向きが異なる場合には、以下のようにして、ダイヤル錠１を扉２に組み付ける。例えば、受け部４が施錠対象物の箱体３における左辺から右側方に突出する姿勢で固定されており、これに対して、ラッチ１６がハウジング１１から左側方に突出自在となるように扉２に組み付ける場合には、以下のようにして、ダイヤル錠１を扉２に組み付ける。
【００４１】
すなわち、図１８に簡略的に示すように、文字盤２１が未装着のダイヤル錠１を、ハウジング１１からラッチ１６が左側方に突出して、受け部４に係合可能な姿勢で取り付ける。なお、リング体１９は、その印１９ａが上端部となるようにダイヤル本体部２２と組み合わせて扉２に組み付ける。
【００４２】
次に、文字盤２１をダイヤル錠１のダイヤル本体部２２に取り付ける。この際、ハウジング１１からラッチ１６が左側方に突出した状態で取り付けているため、これに合わせて、文字盤２１に設けられた特定の係合部２１ａ’が、ダイヤル本体部２２の「左」と記載された向き指示部３０に対応する被係合部２２ｈに係合する向きで取り付ける。
【００４３】
このように、ダイヤル錠１のラッチ１６が左側方に突出する姿勢で取り付ける場合には、ダイヤル錠１のラッチ１６が上方に突出する姿勢で取り付ける場合と比較して、正面視して、ダイヤル錠１（文字盤２１以外の部分）を、相対的に反時計回り（左回り）に９０度ずらした状態で扉３に組み付けることになる。しかし、向き指示部３０は、左右が逆の向きに記載されているため（すなわち、ダイヤル錠１を見た場合の方向ではなくて、ダイヤル錠１自体の向きに合わせて記載されているため）、この場合には、文字盤２１をダイヤル錠１（文字盤２１以外の部分）に対して、相対的に時計回り（右回り）に９０度ずらした状態で取り付けることとなり、ダイヤル部１２（文字盤２１）の上端部に位置する数字は、同じとなる。したがって、ラッチ１６が上方に突出した状態取り付ける場合と同じ数字（記号）が上端位置となるように、ダイヤル部１２を回転させることで、解錠させることができる。
【００４４】
また、受け部４が施錠対象物の箱体３における下辺から上方に突出する姿勢で固定されており、これに対して、ラッチ１６がハウジング１１から下方に突出自在となるように扉２に組み付ける場合には、図１９に簡略的に示すように、文字盤２１が未装着のダイヤル錠１を、ハウジング１１からラッチ１６が下方に突出して、受け部４に係合可能な姿勢で取り付ける。なお、リング体１９は、その印１９ａが上端部となるようにダイヤル本体部２２と組み合わせて扉２に組み付ける。
【００４５】
次に、文字盤２１をダイヤル錠１のダイヤル本体部２２に取り付ける。この際、ハウジング１１からラッチ１６が下方に突出した状態で取り付けているため、これに合わせて、文字盤２１に設けられた特定の係合部２１ａ’が、ダイヤル本体部２２の「下」と記載された向き指示部３０に対応する被係合部２２ｈに係合する向きで取り付ける。
【００４６】
このように、ダイヤル錠１のラッチ１６が下方に突出する姿勢で取り付ける場合には、ダイヤル錠１のラッチ１６が上方に突出する姿勢で取り付ける場合と比較して、正面視して、ダイヤル錠１（文字盤２１以外の部分）を、相対的に反時計回り（左回り）に１８０度ずらした状態で扉３に組み付けることになる。しかし、向き指示部３０は、左右が逆の向きに記載されているため、この場合には、文字盤２１をダイヤル錠１（文字盤２１以外の部分）に対して、相対的に時計回り（右回り）に１８０度ずらした状態で取り付けることとなり、ダイヤル部１２（文字盤２１）の上端部に位置する数字は、同じとなる。したがって、ラッチ１６が上方や左側方に突出した状態取り付ける場合と同じ数字（記号）が上端位置となるように、ダイヤル部１２を回転させることで、解錠させることができる。
【００４７】
また、受け部４が施錠対象物の箱体３における右辺から左側方に突出する姿勢で固定されており、これに対して、ラッチ１６がハウジング１１から右側方に突出自在となるように扉２に組み付ける場合には、図２０に簡略的に示すように、文字盤２１が未装着のダイヤル錠１を、ハウジング１１からラッチ１６が右側方に突出して、受け部４に係合可能な姿勢で取り付ける。なお、リング体１９は、その印１９ａが上端部となるようにダイヤル本体部２２と組み合わせて扉２に組み付ける。
【００４８】
次に、文字盤２１をダイヤル錠１のダイヤル本体部２２に取り付ける。この際、ハウジング１１からラッチ１６が右側方に突出した状態で取り付けているため、これに合わせて、文字盤２１に設けられた特定係合部２１ａ’が、ダイヤル本体部２２の「右」と記載された向き指示部３０に対応する被係合部２２ｈに係合する向きで取り付ける。
【００４９】
このように、ダイヤル錠１のラッチ１６が右側方に突出する姿勢で取り付ける場合には、ダイヤル錠１のラッチ１６が上方に突出する姿勢で取り付ける場合と比較して、正面視して、ダイヤル錠１（文字盤２１以外の部分）を、相対的に反時計回り（左回り）に２７００度ずらした状態で扉３に組み付けることになる。しかし、向き指示部３０は、左右が逆の向きに記載されているため、この場合には、文字盤２１をダイヤル錠１（文字盤２１以外の部分）に対して、相対的に時計回り（右回り）に２７０度ずらした状態で取り付けることとなり、ダイヤル部１２（文字盤２１）の上端部に位置する数字は、同じとなる。したがって、ラッチ１６が上方や左側方や下方に突出した状態取り付ける場合と同じ数字（記号）が上端位置となるように、ダイヤル部１２を回転させることで、解錠させることができる。
【００５０】
このように、箱体３における受け部４の突出位置にかかわらず、同じ製品のダイヤル錠１で対応することが可能となり、解錠する数字（記号）も変わることがない。この結果、ダイヤル錠１として同じ製品で済ますことができるので、従来のダイヤル錠よりも製造コストを低減させることができ、種類の確認をしなくてもよくなるとともに、検査の手間も省け、ひいてはダイヤル錠１を在庫するスペースも最小限に抑えることができる。
【００５１】
なお、上記構成では、文字盤２１において隣り合う係合部２１ａが設けられる周方向の間隔の角度が、ダイヤル本体部２２において隣り合う向き指示部３０が設けられる間隔の角度とは異なっているとともに整数倍の角度でもない場合を述べたが、この構成に限るものではなく、文字盤２１において隣り合う係合部２１ａが設けられる周方向の間隔の角度と、ダイヤル本体部２２において隣り合う向き指示部３０が設けられる間隔の角度とを同じように構成してもよく、例えば、図２１に示すように、文字盤２１において隣り合う係合部２１ａが設けられる周方向の間隔の角度と、ダイヤル本体部２２において隣り合う向き指示部３０が設けられる間隔の角度とが、それぞれ９０度であり、それぞれ４つずつ設けてもよい。なお、上記実施の形態と同様に係合部２１ａの１つが特定係合部２１ａ’とされる。
【００５２】
この構成によっても、箱体３における受け部４の突出位置にかかわらず、同じ製品のダイヤル錠１で対応することが可能となり、解錠する数字（記号）も変わることがない。この結果、ダイヤル錠１として同じ製品で済ますことができる。
【００５３】
なお、上記の実施の形態では、文字盤２１を後から組み付ける場合を述べたが、これに限るものではない。すなわち、必ずしも、文字盤２１を後から組み付けなくてもよく、ラッチ１６が突出する向きを予め認識した状態で、これに対応するように、文字盤２１をダイヤル錠１のダイヤル本体部２２に組み付けてから、ダイヤル錠１を扉２に組み付けてもよい。
【００５４】
また、上記実施の形態では、文字盤２１の係合部２１ａが後方（ダイヤル本体部２２側）に突出する爪形状とされ、ダイヤル本体部２２の被係合部２２ｈが孔形状とされているが、これに限るものではなく、逆に、文字盤２１の係合部２１ａを孔形状や窪み部などの凹部で形成し、ダイヤル本体部２２の被係合部２２ｈを前方（文字盤２１側）に突出する爪形状などの凸部で形成してもよい。
【００５５】
また、ダイヤル錠を組み付ける施錠対象物としては、郵便受けなどの扉を有する箱体が好適であるが、これに限るものではなく、これ以外の構造物にも組み付けることができることはもちろんである。
【符号の説明】
【００５６】
１      ダイヤル錠
２      扉
３      箱体
４      受け部（ラッチ受け部）
１１    ハウジング（錠本体）
１２    ダイヤル部（ダイヤル操作部）
１３    第１の回転体
１４    第２の回転体
１５    第３の回転体
１６    ラッチ
１７    保持体
１９    リング体
２１    文字盤
２２    ダイヤル本体部
３０    向き表示部
【図１】
2018204266.tif 000003
【図２】
2018204266.tif 000004
【図３】
2018204266.tif 000005
【図４】
2018204266.tif 000006
【図５】
2018204266.tif 000007
【図６】
2018204266.tif 000008
【図７】
2018204266.tif 000009
【図８】
2018204266.tif 000010
【図９】
2018204266.tif 000011
【図１０】
2018204266.tif 000012
【図１１】
2018204266.tif 000013
【図１２】
2018204266.tif 000014
【図１３】
2018204266.tif 000015
【図１４】
2018204266.tif 000016
【図１５】
2018204266.tif 000017
【図１６】
2018204266.tif 000018
【図１７】
2018204266.tif 000019
【図１８】
2018204266.tif 000020
【図１９】
2018204266.tif 000021
【図２０】
2018204266.tif 000022
【図２１】
2018204266.tif 000023